(57)【要約】【課題】  本発明は、ティッシュケース内部の残量を残量計機構と造形物の動きで確認できるティッシュ残量計玩具を提供する。【解決手段】  ティッシュケース２５上面端部に装着されたベース体２９に設けられた収納部７内部底面の露出孔１５より露出した押下力を加えた計測棒１をティッシュ取出し口端部に挿入し、残ティッシュ表面に接触した計測棒１が、ティッシュ残量に応じて押下げられ、収納部７内部の支持部３で支えられた連結部材２が連結連動を可能にした残量計機構５の表示部２８と造形物４を可動させることにより、外部よりティッシュの残量を目視で確認できるようにすることを特徴とするティッシュ残量計付玩具。【選択図】図２
2007320656.tif 000002
【特許請求の範囲】
【請求項１】
計測棒を露出する挿入孔を底面に有し任意のティッシュケースのティッシュを取り出すことができる位置で装着するベース体を有する装着機構と、ティッシュケースの内部ティッシュ表面に押下力を加える計測棒と、該計測棒を下げる方向に力を加える押下機構と、前記押下機構の動きを伝える連結連動機構と、前記連結連動機構によりティッシュの残量に合わせて動く造形物により構成され、装着状態において前記計測棒は、ティッシュケース開口部端部より挿入され残ティッシュ表面に接することを特徴とするティッシュ残量計付玩具。
【請求項２】
前記装着機構のベース体にティッシュ残量に応じて造形物の露出状態が異なるように形成された収納部を設けたことを特徴とする請求項１記載のティッシュ残量計付玩具。
【請求項３】
前記押下機構と連結連動機構によりティッシュ残量を表示する残量計機構を有することを特徴とする請求項１又は２記載のティッシュ残量計付玩具。
【発明の詳細な説明】
【技術分野】
【０００１】  本発明は、ティッシュケース内部の残量を残量計機能と造形物の動きで確認できるティッシュ残量計付玩具に関するものである。
【背景技術】
【０００２】  従来ティッシュケースは、内部が見えないケースにより作られている。また装飾を目的でティシュカバーを装着して使用することが多く、残量を気にすることがなかった。【０００３】  また、ティッシュ残量を確認できる公知技術としてティッシュケース側面に開口窓を設けたものがある。次の特許文献１を挙げることができる。【０００４】
【特許文献１】特開平０７−２１５３８０号公報
【発明の開示】
【発明が解決しようとする課題】
【０００５】  上述の如く、従来のティッシュケースの問題点は、外見だけで残量を確認するのが不可能で、使用中に突然なくなってしまうことが多かった、またティッシュカバーを使用するとよりいっそう残量を確認できなくなっていた。【０００６】  特許文献１の構成にあっては、従来ティッシュカバーを装着して使用することが多く、ティッシュカバーを装着すると内部残量が確認できなくなっていた。本発明は、このような問題を解決しようとするものであり、残量に合わせて可動する造形物と残量計を使用することにより、ティッシュケース内部の残量を楽しく容易に外部から目視で確認できるようにすることを目的にするものである。
【課題を解決するための手段】
【０００７】  上述の目的を達成する本発明の玩具は、計測棒を露出する挿入孔を底面に有し任意のティッシュケースのティッシュを取り出すことができる位置で装着するベース体を有する装着機構と、ティッシュケースの内部ティッシュ表面に押下力を加える計測棒と、該計測棒を下げる方向に力を加える押下機構と、前記押下機構の動きを伝える連結連動機構と、前記連結連動機構によりティッシュの残量に合わせて動く造形物により構成され、装着状態において前記計測棒は、ティッシュケース開口部端部より挿入され残ティッシュ表面に接することを特徴とするティッシュ残量計付玩具である。【０００８】  一例として、前記装着機構のベース体にティッシュ残量に応じて造形物の露出状態が異なるように形成された収納部が設けられている。好適には、前記押下機構と連結連動機構によりティッシュ残量を表示する残量計機構を有することを特徴とするティッシュ残量計付玩具である。
【発明の効果】
【０００９】  以上説明したように本発明によれば、ティッシュケース上面開口部端部より挿入した押下力を加えた計測棒の押下機構で残量計機構と造形物を可動させることで、残量確認が目視で容易に可能になるものできる。【００１０】  特にティッシュカバーを装着した上からも装着が可能であり、見た目にも楽しくインテリア性にも優れている。収納部を設けたものにあっては、ティッシュ残量に応じて露出状態が変わる造形物が動くインテリアとして楽しむことができる。また残量計機構の表示部を設けたことにより装飾性と機能性を持った極めて有効な玩具である。
【発明を実施するための最良の形態】
【００１１】  以下、本発明の実施の形態を図面に基づいて説明する。【００１２】  本発明は、図１〜図７に示すようにベース体に設けられた収納部７の内部中央付近に支持部３を立設し、上部をＵ字型に成形された支持部３の上端部に、連結部材２の両端部が上下運動可能になるようにＵ字型中央部に回転軸１７により連結部材２が取り付けられている。【００１３】  図１が示すように、連結部材２の一端部は、計測棒１を取り付けるため端部をＵ字型に形成し重り６を補助するために他端部より厚く形成されている。また他端部は、造形物４を取り付けるためコの字型に形成されている。【００１４】  図１、図２が示すように、連結部材２は、中央付近に支持部３に軸着する遊転可能な貫通した穴を有しているが、貫通した穴を造形物４側に設けることでテコの原理が利用できる。また両端部には、計測棒１と造形物４の円運動を直線運動に変える時の軸の移動を可能にするための遊転可能な長孔１８，１９を設けている。【００１５】  図１〜図３が示すように、計測棒１は、下端部２３を装着機構１２のベース体２９底面の露出孔１５より露出し、残ティッシュ表面と接触させるため、摩擦を軽減する目的で底面を球状面に形成し、ティッシュケース底面に達する長さを有している。また上端部には、遊転可能な貫通した穴を有する取り付け部材１６を取り付け、連結部材２と重り６と供に固定軸１１により取り付けられている。計測棒１と取り付け部材１６は、一体成型も可能である。【００１６】  図３が示すように、上記取り付け部材１６と重り６は、スリット１４を挟むように固定軸１１に取り付けられている。また計測棒１の上部に取り付けられている重り６は、造形物４と残量計機構５の重量などにより適宜調節される。【００１７】  造形物４は、軽量にするため中空構造が好ましく、図１、図４が示すように残量計機構５の帯状に形成された支持部材に、造形物４と供に取り付けられている。【００１８】  図１、図４が示すように、残量計機構５の支持部材は、造形物４と連結し、収納部７に設けられたスリット１３を通過するように取り付け、前記残量計機構５の支持部材両端部の鉤状に形成された表示部２８を収納部７外部に露出するように取り付けられている。【００１９】  図２、図５に示すように、造形物４と連結部材２の取り付けは、補助板２０を造形物４の両側で残量計機構５の支持部材に取り付けられており、前記補助板の２０下部には、遊転可能な貫通した穴を有し、連結部材２端部のコの字型に形成された外側で補助板２０と固定軸２１により供に連結して取り付けられている。【００２０】  図４、図８が示すように、収納部７は、構造部の周囲と上面を覆う壁面と、造形物４を露出と収納を可能にする収納スペース２２を設けて形成されている。また内部には、押下機構の円運動を直線運動に変えるスリット１４を有する壁面２６を収納部７内部計測棒１の両側に設け、後部には、造形物４の円運動を直線運動に変えると供に造形物４の姿勢を安定させるスリット１３を有するＬ字型壁面２７を造形物４両側に設けている。【００２１】  造形物４の収納スペース２２は、図４、図５が示すように、造形物４の収納と露出を可能にする高さと前記壁面２７により造形物４を収納可��にする広さに形成され、計測棒１側の面にも連結部材２を通す開口部を有するように形成されている。【００２２】  図４、図５が示すように、構造部本体を収納する収納部７も、造形物４の露出と収納をする部分は収納スペース２２と同じ高さに形成され、残量計機構５の支持部材端部表示部２８を露出するスリット１３を両側面に設けて装着機構１２のベース体２９上面に取り付けられている。【００２３】  収納部７の両側面スリット１３外面には、図８が示すように、残量計機構５の表示部２８が露出しており、ティッシュ残量に応じて示すことができる目盛を収納部７の両側面スリット１３横外面に設けられている。【００２４】  図３、図４が示すように、装着機構１２のベース体２９は、ティッシュケース上面端部に挿入する計測棒１の露出孔１５を底面に設けている。またティッシュケース上面に取り付け可能にするため両端部を橋渡しするゴム製の固定バンド８を設けている。【００２５】  一例として、図６が示すように、造形物４と連結部材２の取り付けは、直接、造形物４と連結部材２と供に固定軸２１に取り付けることも可能である。【００２６】  図７が示すように、重り６の押下力が不足しているときは、収納部７内部押下機構の固定軸１１の両側直下に固定具１０を設け、固定軸１１と固定具１０を連結するようにバネ９を設けて調節することができる。【００２７】  造形物４の露出の調節は、図７が示すように、補助板２０の長さを調節することにより可能であるが、造形物４の形状や補助板２０の調節具合により造形物４の姿勢が不安定を生じたときは、細い帯状の姿勢安定板２４を造形物４背面に設けて安定させることができる。【００２８】  本発明は以上のような構造であり、これを使用するときは、ティッシュケース２５または、カバーのかかったティッシュケース２５の上面端部に装着機構１２のベース体２９に取り付けた収納部７本体を固定バンド８で装着し、取り出し口端部に収納部７内部ベース体２９底面の露出孔１５より露出した計測棒１を挿入し、押下機構でティッシュケース内部の残ティッシュ表面に計測棒１の下端部球状面２３が接触して残量に応じて計測棒１が下がり、上下運動を可能にした連結部材２により連結連動する残量計機構５と造形物４を可動させる。その結果、ティッシュ残量に応じて造形物４の露出のしかたが変わり、残量計機構５の外部に露出した支持部材端部の表示部２８が目盛を指示し外部より目視でティッシュの残量を確認できる。【００２９】  以上、本発明の実施の形態を説明したが、本発明の範囲はこれに限定されるものではない。例えば構造部材に関しては、合成樹脂や金属などにより形成されているが、装飾された収納部７などは、木材などの使用が可能である。図８が示すように、固定バンド８に伸縮性の織布でできたカバーを装着しインテリア性を向上させることも可能である。また図９が示すように、装着機構１２のベース体２９上面に可動する造形物４以外の造形物等を装飾するなどし、インテリア性を向上させることも可能であり、収納部７無しでもティッシュ残量に合わせて動く造形物４を装着機構１２のベース体２９上面に設けるだけでもインテリアとして使用でき、これらは状況に応じて適宜選択されるものである���
【図面の簡単な説明】
【００３０】
【図１】本発明の斜視図の断面図である。
【図２】本発明の側面の断面図である。
【図３】本発明の正面の断面図である。
【図４】本発明の上面の断面図である。
【図５】本発明の背面の断面図である。
【図６】本発明の背面の参考断面図である。
【図７】本発明の側面の参考断面図である。
【図８】本発明の装着斜視図である。
【図９】本発明の参考斜視図である。
【符号の説明】
【００３１】１    計測棒
２    連結部材
３    支持部
４    造形物
５    残量計機構
６    重り
７    収納部
８    固定バンド
１１  固定軸
１２  装着機構
１５  露出孔
２２  収納スペース
２３  球状面
２５  ティッシュケース
２８  表示部
２９  ベース体
【図１】
2007320656.tif 000003
【図２】
2007320656.tif 000004
【図３】
2007320656.tif 000005
【図４】
2007320656.tif 000006
【図５】
2007320656.tif 000007
【図６】
2007320656.tif 000008
【図７】
2007320656.tif 000009
【図８】
2007320656.tif 000010
【図９】
2007320656.tif 000011